(57)【特許請求の範囲】
【請求項１】
液体を吐出する吐出部と、
前記吐出部を駆動する駆動基板と、
前記駆動基板を収容する駆動基板収容部と、
前記駆動基板収容部に設けられ、前記駆動基板収容部の外部から前記駆動基板収容部の内部へ向かう気流を生成させる第１気流生成部および第２気流生成部と、
前記駆動基板収容部に設けられ、前記第１気流生成部と前記第２気流生成部とにより生成した気流の合成気流を排出する排気部と、
前記駆動基板収容部とは別に、前記吐出部を収容する吐出部収容部と、
前記吐出部収容部に設けられ、気流を生成させる第３気流生成部と、
を備え、
前記第１気流生成部と前記第２気流生成部とは、対向する位置に設けられており、且つ、前記第２気流生成部が生成する気流の方向は前記第１気流生成部が生成する気流の方向と反対方向であり、
前記第１気流生成部および前記第２気流生成部の風量は同等であることを特徴とする液体吐出装置。
【請求項２】
請求項１に記載の液体吐出装置において、
前記排気部は、前記駆動基板に対する前記吐出部の方向とは逆側に設けられていることを特徴とする液体吐出装置。
【請求項３】
請求項１または２に記載の液体吐出装置において、
前記駆動基板は、前記吐出部に面しない配置で設けられていることを特徴とする液体吐出装置。
【発明の詳細な説明】
【技術分野】
【０００１】
本発明は、液体吐出装置に関する。
【背景技術】
【０００２】
従来から、媒体にインクなどの液体を吐出して記録する記録装置のような液体吐出装置が開示されている。このような液体吐出装置においては、液体の吐出部や該吐出部を駆動するための駆動基板が発熱しこれらを収容する収容部が昇温する場合がある。そこで、このような昇温を抑制する技術が開示されている。  
例えば、特許文献１には、吐出部などの収容部（キャリッジ）にその昇温を抑制するためのファンを備える液体吐出装置が開示されている。  
また、特許文献２に開示されるように、異なる目的で、吐出部などの収容部にファンなどの気流生成部を備える液体吐出装置が開示されている。
【先行技術文献】
【特許文献】
【０００３】
【特許文献１】特開平１１−１１５１７０号公報
【特許文献２】特開２００８−９３８４９号公報
【発明の概要】
【発明が解決しようとする課題】
【０００４】
しかしながら、近年の液体吐出装置は、様々な構成や大きさのもの（吐出部や駆動基板を数多く有するものなど）が使用されるようになってきており、特許文献１及び２に開示されるような構成では、吐出部などの収容部（駆動基板収容部）の昇温を十分に抑制することができない場合が生じている。
【０００５】
そこで、本発明の目的は、駆動基板収容部に熱が籠ることを抑制することを抑制することである。
【課題を解決するための手段】
【０００６】
上記課題を解決するための本発明の第１の態様の液体吐出装置は、液体を吐出する吐出部と、前記吐出部を駆動する駆動基板と、前記駆動基板を収容する駆動基板収容部と、前記駆動基板収容部に設けられ、気流を生成させる複数の第１気流生成部と、前記駆動基板収容部に設けられ、前記複数の第１気流生成部により生成した気流の合成気流を排出する排気部と、を備えることを特徴とする。
【０００７】
本態様によれば、駆動基板収容部に、複数の第１気流生成部と、複数の第１気流生成部により生成した気流の合成気流を排出する排気部と、を備える。このため、複数の第１気流生成部により効率的に駆動基板で発生した熱を移動させ、そのことで昇温した気流を排気部から効率的に逃がすことができる。したがって、駆動基板収容部に熱が籠ることを効率的に抑制することができる。
【０００８】
本発明の第２の態様の液体吐出装置は、前記第１の態様において、前記排気部は、前記駆動基板に対する前記吐出部の方向とは逆側に設けられていることを特徴とする。
【０００９】
本態様によれば、排気部は駆動基板に対する吐出部の方向とは逆側に設けられている。このため、排気部から排出される合成気流で吐出部を昇温させてしまうことを抑制できる。
【００１０】
本発明の第３の態様の液体吐出装置は、前記第１又は第２の態様において、前記複数の第１気流生成部は、対向する位置に設けられていることを特徴とする。
【００１１】
本態様によれば、複数の第１気流生成部は対向する位置に設けられている。このため、気流の合成位置や合成気流の進む方向を容易に把握することができ、排気部を適切な位置に配置できるので、合成気流が駆動基板収容部内で滞留して駆動基板収容部に熱が籠ることを抑制できる。
【００１２】
本発明の第４の態様の液体吐出装置は、前記第３の態様において、前記複数の第１気流生成部の各々の風量は同等であることを特徴とする。
【００１３】
本態様によれば、複数の第１気流生成部の各々の風量は同等である。このため、より簡単に気流の合成位置や合成気流の進む方向を把握することができ、排気部をより適切な位置に配置できるので、合成気流が駆動基板収容部内で滞留して駆動基板収容部に熱が籠ることを特に効果的に抑制できる。  
なお、「同等」とは、厳密な意味で同じであることを意味するものではなく、複数の第１気流生成部の各々の風量が多少異なる場合も含む意味である。
【００１４】
本発明の第５の態様の液体吐出装置は、前記第１から第４のいずれか１つの態様において、前記駆動基板収容部とは別に、前記吐出部を収容する吐出部収容部を備えることを特徴とする。
【００１５】
本態様によれば、駆動基板収容部とは別に吐出部を収容する吐出部収容部を備える。すなわち、駆動基板と吐出部とは別の収容部に収容される。このため、駆動基板により生じた熱が吐出部に伝わることを効率的に抑制することができる。
【００１６】
本発明の第６の態様の液体吐出装置は、前記第５の態様において、前記吐出部収容部に設けられ、気流を生成させる第２気流生成部を備えることを特徴とする。
【００１７】
本態様によれば、吐出部収容部に、気流を生成させる第２気流生成部を備える。このため、吐出部収容部に熱が籠ることを抑制できる。
【００１８】
本発明の第７の態様の液体吐出装置は、前記第１から第６のいずれか１つの態様において、前記駆動基板は、前記吐出部に面しない配置で設けられていることを特徴とする。
【００１９】
本態様によれば、駆動基板は、吐出部に面しない配置で設けられている。このため、駆動基板により生じた熱が吐出部に伝わることを効率的に抑制することができる。
【図面の簡単な説明】
【００２０】
【図１】本発明の一実施例の記録装置を表す概略斜視図。
【図２】本発明の一実施例の記録装置を表す概略平面図。
【図３】本発明の一実施例の記録装置を表す概略正面図。
【図４】本発明の一実施例の記録装置を表す概略側面図。
【図５】本発明の一実施例の記録装置を表す概略背面図。
【図６】本発明の一実施例の記録装置の要部を表す概略正面図。
【図７】本発明の一実施例の記録装置の要部を表す概略側面透視図。
【図８】本発明の一実施例の記録装置を表すブロック図。
【発明を実施するための形態】
【００２１】
以下に、本発明の液体吐出装置としての一実施例に係る記録装置について、添付図面を参照して詳細に説明する。  
最初に、本発明の一実施例に係る記録装置１の概要について説明する。  
図１は本実施例の記録装置１の概略斜視図である。また、図２は本実施例の記録装置１の概略平面図である。また、図３は本実施例の記録装置１の概略正面図である。また、図４は本実施例の記録装置１の概略側面図である。また、図５は本実施例の記録装置１の概略背面図である。なお、図１から図５は、本実施例の記録装置１から構成部材の一部を取り外した状態を表しており、例えば、キャリッジ６からサブキャリッジ５（図６及び図７参照）を取り外した状態を表している。
【００２２】
本実施例の記録装置１は、粘着剤が付着された支持面で被記録媒体（媒体）を支持する粘着性ベルト２（無端ベルト）により被記録媒体を搬送方向Ａに搬送する搬送機構３を備えている。また、ロール状の被記録媒体をセット可能であり、該被記録媒体を搬送機構３に繰り出すことが可能な不図示の繰出部を備えている。また、搬送機構３による被記録媒体の搬送領域に、吐出部としての記録ヘッド７を備えたキャリッジ６を被記録媒体の搬送方向Ａと交差する往復移動方向Ｂに往復走査させて記録する記録機構４を備えている。さらに、記録機構４において記録がなされた被記録媒体を巻き取ることが可能な不図示の巻取機構を備えている。
【００２３】
本実施例の搬送機構３は、繰出部から繰り出された被記録媒体を載置して搬送する粘着性ベルト２と、粘着性ベルト２を移動させる駆動ローラー８と、従動ローラー９と、を備えている。被記録媒体は粘着性ベルト２の支持面に貼り付けられて載置される。  
ただし、搬送ベルトとしての無端ベルトは粘着性ベルトに限定されない。例えば、静電吸着式の無端ベルトを用いてもよい。  
なお、本実施例の記録装置１は、このような構成の搬送機構３を備えているが、このような構成の搬送機構に限定されず、被記録媒体を移動式の支持トレイなどに支持させて搬送する構成や、被記録媒体をローラー対などにより搬送させる構成などとしてもよい。さらには、被記録媒体を支持部に固定させ、固定された被記録媒体に対して記録ヘッド７を移動させて記録する、所謂フラッドベッドタイプの記録装置としてもよい。
【００２４】
記録機構４は、インク（液体）を吐出可能な記録ヘッド７を備えるキャリッジ６を往復移動方向Ｂに往復移動させるキャリッジモーター３０（図８参照）を有している。  
本実施例の記録装置１は、記録の際、記録ヘッド７を備えるキャリッジ６を往復走査させて記録するが、記録走査中（キャリッジ６の移動中）は、搬送機構３は被記録媒体の搬送を停止させる。別の表現をすると、記録の際、キャリッジ６の往復走査と被記録媒体の搬送は交互に行われる。すなわち、記録の際、キャリッジ６の往復走査に対応して、搬送機構３は被記録媒体を間欠搬送（粘着性ベルト２を間欠移動）させている。  
なお、本実施例の記録装置１は、往復移動しながら記録する記録ヘッド７を備えているが、インクを吐出するノズルを搬送方向Ａと交差する交差方向に複数設けた所謂ラインヘッドを備える記録装置でもよい。  
ここで、「ラインヘッド」とは、被記録媒体の搬送方向Ａと交差する交差方向に形成されたノズルの領域が、被記録媒体の交差方向全体をカバー可能なように設けられ、記録ヘッド又は被記録媒体を相対的に移動させて画像を形成する記録装置に用いられる記録ヘッドである。なお、ラインヘッドの交差方向のノズルの領域は、記録装置が対応している全ての被記録媒体の交差方向全体をカバー可能でなくてもよい。
【００２５】
なお、本実施例の記録装置１の骨格部を構成するパイプ１１ａには往復移動方向Ｂに延設されるレール１０ａが構成され、本実施例の記録装置１の骨格部を構成するパイプ１１ｂには往復移動方向Ｂに延設されるレール１０ｂが構成されている。そして、本実施例のキャリッジ６は、レール１０ａ及びレール１０ｂに不図示の軸受部が受けられることで、往復移動方向Ｂへの移動がレール１０ａ及びレール１０ｂにガイドされる。
【００２６】
また、パイプ１１ｂの下部の位置には、往復移動方向Ｂに延設され、不図示の複数の送風口から搬送方向Ａとは逆方向に送風する、送風部１２が設けられている。そして、パイプ１１ａの下部の位置には、往復移動方向Ｂに延設され、記録ヘッド７から吐出されたインクのミストを回収可能な、ミストの回収部１３が設けられている。なお、ミストの回収部１３は、パイプ１１ａの下部の位置において往復移動方向Ｂに延設される回収口１６が設けられている。  
また、本実施例の記録装置１の搬送方向Ａにおける下流側には、図３で表されるように、送風部１２による送風力を発生させる送風ファン１４が複数（３つ）設けられている。送風ファン１４が発生させる送風力により、送風部１２は回収部１３の外部（搬送方向Ａにおける下流側の位置）から回収口１６に向けて送風することが可能になっている。そして、本実施例の記録装置１の搬送方向Ａにおける上流側には、図５で表されるように、回収口１６から回収部１３の内部に向けて、さらに、回収部１３の内部から記録装置１の外部に向けて、気流を発生させる吸引部としての吸引ファン１５が複数（３つ）設けられている。
【００２７】
次に、本実施例の記録装置１の要部であるキャリッジ６及び該キャリッジ６に搭載されるサブキャリッジ５について説明する。  
ここで、図６はキャリッジ６の概略正面図であり、図７はサブキャリッジ５の概略側面透視図である。
【００２８】
図６で表されるように、本実施例のキャリッジ６は、複数のサブキャリッジ５を搭載して往復移動方向Ｂに往復走査することが可能に構成されている。
【００２９】
また、図７で表されるように、サブキャリッジ５は、記録ヘッド７を収容した吐出部収容部２０と、記録ヘッド７を駆動する駆動基板４０を収容した駆動基板収容部１９と、を有している。そして、駆動基板収容部１９と吐出部収容部２０とは、駆動基板収容部１９側の接続部３８（コネクター端子）と吐出部収容部２０側の接続部３９（コネクター端子）とで接続されている。さらに、駆動基板４０と接続部３８とはＦＦＣ（フレキシブルフラットケーブル）４３で接続され、記録ヘッド７と接続部３９とはＦＦＣ４４で接続されている。
【００３０】
また、図７で表されるように、駆動基板収容部１９の搬送方向Ａにおける両端部には、駆動基板収容部１９の内部に向けて気流を送風可能な第１気流生成部としてのファン２１が各々対向するように設けられている。そして、駆動基板収容部１９の鉛直上方向Ｃの端部（記録ヘッド７とは反対側）には、対向する２つのファン２１により生成した気流の合成気流Ｗ１を排出する排気部としての排気口４１が設けられている。
【００３１】
一方、吐出部収容部２０の搬送方向Ａにおける下流側端部には、吐出部収容部２０の内部に向けて気流を送風可能な第２気流生成部としてのファン２２が設けられている。そして、吐出部収容部２０の搬送方向Ａにおける上流側端部（ファン２２と対向する位置）には、ファン２２により生成した気流Ｗ２を排出する排気部としての排気口４２が設けられている。
【００３２】
次に、本実施例の記録装置１における電気的な構成について説明する。  
図８は、本実施例の記録装置１のブロック図である。  
制御部２３には、記録装置１の全体の制御を司るＣＰＵ２４が設けられている。ＣＰＵ２４は、システムバス２５を介して、ＣＰＵ２４が実行する各種制御プログラム等を格納したＲＯＭ２６と、データを一時的に格納可能なＲＡＭ２７と接続されている。
【００３３】
また、ＣＰＵ２４は、システムバス２５を介して、記録ヘッド７を駆動するためのヘッド駆動部２８と接続されている。  
また、ＣＰＵ２４は、システムバス２５を介して、キャリッジモーター３０、搬送モーター３１、繰出モーター３２、巻取モーター３３、送風ファンモーター１７、吸引ファンモーター１８、駆動基板収容部ファンモーター３６及び吐出部収容部ファンモーター３７を駆動させるためのモーター駆動部２９と接続されている。  
ここで、キャリッジモーター３０は、記録ヘッド７を備えたキャリッジ６を移動させるためのモーターである。また、搬送モーター３１は、駆動ローラー８を駆動するためのモーターである。また、繰出モーター３２は、不図示の繰出部にセットされた被記録媒体を搬送機構３に送り出すための繰出部の駆動モーターである。また、巻取モーター３３は、記録がなされた被記録媒体を巻き取るために不図示の巻取機構を駆動させるための駆動モーターである。また、送風ファンモーター１７は、送風ファン１４を駆動するためのモーターである。また、吸引ファンモーター１８は、吸引ファン１５を駆動するためのモーターである。また、駆動基板収容部ファンモーター３６は、駆動基板収容部１９に設けられたファン２１を駆動するためのモーターである。そして、吐出部収容部ファンモーター３７は、吐出部収容部２０に設けられたファン２２を駆動するためのモーターである。  
さらに、ＣＰＵ２４は、システムバス２５を介して、入出力部３４と接続されており、入出力部３４は、記録データ等のデータ及び信号の送受信を行うためのＰＣ３５と接続されている。
【００３４】
ここで、本実施例の記録装置１についてまとめると、本実施例の記録装置１は、インクを吐出する記録ヘッド７と、記録ヘッド７を駆動する駆動基板４０と、駆動基板４０を収容する駆動基板収容部１９と、を備えている。そして、駆動基板収容部１９に設けられ、気流を生成させる複数のファン２１と、駆動基板収容部１９に設けられ、複数のファン２１により生成した気流の合成気流Ｗ１を排出する排気口４１と、を備えている。このため、複数のファン２１により効率的に駆動基板４０に気流を吹き付け、駆動基板４０で発生した熱を移動させ、そのことで昇温した気流を排気口４１から効率的に逃がすことができる構成になっている。したがって、本実施例の記録装置１は、駆動基板収容部１９に熱が籠ることを効率的に抑制することができる構成になっている。  
なお、本実施例の駆動基板収容部１９は、図７で表されるように、合成気流Ｗ１を排出する排気口４１が形成されているが、排気口４１の替わりに排気部として吸引ファン（駆動基板収容部１９内部から外部に向けて気流を生成するファン）を形成してもよい。そのような構成とすることで、合成気流Ｗ１の排出効率がさらに向上する。
【００３５】
また、記録ヘッド７が昇温するとインクが不図示のノズルから蒸発しやすくなり吐出安定性が低下する場合があるが、図７で表されるように、本実施例の排気口４１は、駆動基板４０に対する記録ヘッド７の方向（下側）とは逆側（鉛直上方向Ｃ側）に設けられている。このため、排気口４１から排出される合成気流Ｗ１（駆動基板４０の熱により加熱された気流）で記録ヘッド７を昇温させてしまうことを抑制できる構成になっている。
【００３６】
また、図７で表されるように、駆動基板収容部１９に設けられる本実施例の複数のファン２１は、各々が対向する位置に設けられている。このため、気流の合成位置や合成気流Ｗ１の進む方向を容易に把握することができ、排気口４１を適切な位置に配置できるので、合成気流Ｗ１が駆動基板収容部１９内で滞留して駆動基板収容部１９に熱が籠ることを抑制できる構成になっている。
【００３７】
ここで、駆動基板収容部１９に設けられる本実施例の複数のファン２１は、各々、同じファンを使用している。すなわち、複数のファン２１の各々の風量が同等になるものを使用している。このため、より簡単に気流の合成位置や合成気流Ｗ１の進む方向を把握することができ（本実施例では搬送方向Ａにおける駆動基板収容部１９の中央部）、排気口４１をより適切な位置に配置できるので、合成気流Ｗ１が駆動基板収容部１９内で滞留して駆動基板収容部１９に熱が籠ることを特に効果的に抑制している。  
なお、「同等」とは、厳密な意味で同じであることを意味するものではなく、設計上のばらつきに起因するものなど、複数のファン２１の各々の風量が多少異なる場合も含む意味である。
【００３８】
また、図６及び図７で表されるように、本実施例のサブキャリッジ５は、記録ヘッド７と駆動基板４０とを別体として収容している。別の表現をすると、本実施例のサブキャリッジ５は、駆動基板収容部１９とは別に、記録ヘッド７を収容する吐出部収容部２０を備えている。このように、駆動基板４０と記録ヘッド７とは別の収容部に収容されているため、駆動基板４０により生じた熱が記録ヘッド７に伝わることを効率的に抑制している。  
ただし、記録ヘッド７と駆動基板４０とを１の収容部に収容させる構成（記録ヘッド７と駆動基板４０の両方を収容する駆動基板収容部を備える構成）も本発明に含まれることは言うまでもない。
【００３９】
そして、吐出部収容部２０に、気流Ｗ２を生成させるファン２２を備えているため、吐出部収容部２０に熱が籠ることを抑制できる構成になっている。  
なお、本実施例の吐出部収容部２０は、図７で表されるように、ファン２２と対向する位置に排気口４２が形成されているが、排気口４２の替わりに排気部として吸引ファン（吐出部収容部２０内部から外部に向けて気流を生成するファン）を形成してもよい。そのような構成とすることで、気流Ｗ２の排出効率がさらに向上する。
【００４０】
また、図７で表されるように、本実施例の駆動基板４０は、駆動基板４０に対する記録ヘッド７の方向（鉛直上方向Ｃに沿う方向）に沿って設けられている。別の表現をすると、本実施例の駆動基板４０は、記録ヘッド７に面しない配置で設けられている。このため、駆動基板４０により生じた熱が記録ヘッド７に伝わることを効率的に抑制する構成になっている。
【００４１】
なお、本発明は上記実施例に限定されることなく、特許請求の範囲に記載した発明の範囲内で種々の変形が可能であり、それらも本発明の範囲内に含まれることは言うまでもない。
【符号の説明】
【００４２】
１…記録装置（媒体搬送装置）、２…粘着性ベルト、３…搬送機構、
４…記録機構、５…サブキャリッジ、６…キャリッジ、７…記録ヘッド（吐出部）、
８…駆動ローラー、９…従動ローラー、１０ａ、１０ｂ…レール、
１１ａ、１１ｂ…パイプ、１２…送風部、１３…回収部、１４…送風ファン、
１５…吸引ファン、１６…回収口、１７…送風ファンモーター、
１８…吸引ファンモーター、１９…駆動基板収容部、２０…吐出部収容部、
２１…ファン（第１気流生成部）、２２…ファン（第２気流生成部）、２３…制御部、
２４…ＣＰＵ、２５…システムバス、２６…ＲＯＭ、２７…ＲＡＭ、
２８…ヘッド駆動部、２９…モーター駆動部、３０…キャリッジモーター、
３１…搬送モーター、３２…繰出モーター、３３…巻取モーター、３４…入出力部、
３５…ＰＣ、３６…駆動基板収容部ファンモーター、
３７…吐出部収容部ファンモーター、３８…駆動基板収容部１９側の接続部、
３９…吐出部収容部２０側の接続部、４０…駆動基板、４１…排気口（排気部）、
４２…排気口（排気部）、４３…ＦＦＣ、４４…ＦＦＣ、４５…ローラー、
Ｗ１…合成気流、Ｗ２…気流
【図１】
0006627425.tif 000002
【図２】
0006627425.tif 000003
【図３】
0006627425.tif 000004
【図４】
0006627425.tif 000005
【図５】
0006627425.tif 000006
【図６】
0006627425.tif 000007
【図７】
0006627425.tif 000008
【図８】
0006627425.tif 000009